(57)【特許請求の範囲】
【請求項１】
支持部材によって上端部が支持されるとともに内部に収容した汚泥を重力脱水可能な濾布製の袋と、この袋の底部を開閉する袋開閉手段とを備え、
前記袋が、前記支持部材によって支持された状態で洗浄して繰り返し使用可能に構成され、
前記袋開閉手段が、前記袋底部の一方側端部と他方側端部とに固定され横方向長さが当該袋底部よりも長い一対の係合棒と、これら係合棒を芯として当該袋底部を巻き込んだ場合に当該各係合棒を係止して当該袋底部を閉塞状態に維持可能かつ当該各係合棒の係止を解除して当該袋底部を開放可能な係止手段とから形成され、
前記各係合棒が、関節部を有しており、前記袋底部が開放された場合に当該関節部が外側へ出っ張るように変形可能に構成された汚泥の分離脱水処理装置。
【請求項２】
前記各係合棒を中空状に形成し、当該各係合棒の中空部分に棒状の磁石を抜き差自在に挿入した請求項１記載の汚泥の分離脱水処理装置。
【請求項３】
前記係止手段による前記各係合棒の係止を遠隔操作によって解除可能な遠隔解除手段を設けた請求項１又は２記載の汚泥の分離脱水処理装置。
【請求項４】
前記袋は、濾布の接合部を縫い合わせて筒状に縫製した後、当該筒状濾布の上部を前記支持部材に固定するために折り返し縫製してワイヤーまたは紐体を入れ、当該筒状濾布の底部の一方側端部と他方側端部とを前記２本の係合棒を入れられるように上下方向に位置ずれさせて折り返し縫製して成る請求項１から３までのいずれか１項に記載の汚泥の分離脱水処理装置。
【発明の詳細な説明】
【技術分野】
【０００１】
本発明は、各種産業分野で発生する汚泥を水分（液分）と固分とに分離する分離脱水処理装置 に関する。詳しくは、畜産汚水を活性汚泥法で処理した場合に発生する余剰汚泥やふん尿混合物等を水分と固分とに分離するのに好適な 分離脱水処理装置に関する。
【背景技術】
【０００２】
汚泥は、各種産業分野で発生するものであり、通常は水分（液分）と固分とに分離した後、適切な廃棄物処理（リサイクルを含む）がなされている。従来、汚泥を水分と固分とに分離する技術（汚泥の分離脱水処理方法、分離脱水処理装置）としては、（１）汚泥をローラー等で加圧し分離脱水する加圧脱水方式(例えば、特許文献１参照。）、（２）汚泥に作用する重力を利用して当該汚泥中の水分を濾布の小さな隙間（目）を通して排出して分離脱水する重力脱水方式（例えば、非特許文献１,特許文献２参照。）がよく知られている。      
【０００３】
ここで、汚泥処理は、工鉱業の分野では従来より積極的になされているが、農業（特に畜産業）の分野においてはその取組みに若干遅れがみられるとの指摘がある。例えば、畜舎（豚・牛舎等）から排出される畜産汚水（糞と尿との混合液）を活性汚泥法で処理すると余剰汚泥が発生するが、例えば畜産農家の大多数を占める中小規模養豚農家では汚水発生量が一日１０トン以下と少ないので、汚泥を空き地に野積したり、穴を掘って埋めたり、あるいは畑に肥料としてまくなどの措置を取っているのが現状である。なお、こうして野積等された汚泥は、水分が地中に吸われたり気化したりして、自然に分離脱水されることになる。
【特許文献１】特開２００１−３００５９８号公報
【特許文献２】特開平１１−１６５１９６号公報
【非特許文献１】ドリームネット、［online］、インターネット<URL：http://www.marsol.co．jp/ecdrm.html>
【発明の開示】
【発明が解決しようとする課題】
【０００４】
ところで、上記した野積等は、土壌汚染、地下水汚染、河川汚染などを招く一因となるとともに、近隣の住民に不快感を与えることにもなる。
【０００５】
わが国では、近年、世界的規模で環境汚染が進行していることに鑑み、環境負荷の軽減を図る一環として、平成１１年から「家畜排せつ物の管理の適正化及び利用の促進に関する法律」が施行されている。この法律によれば、平成１６年以降、家畜排せつ物は適正に処理されなければならないとされ、法律上からも上記汚泥の野積などは許されなくなるものと考えられる。      
【０００６】
そこで、上記余剰汚泥を野積等することなく人工的に分離脱水処理する必要があるが、上記加圧脱水方式は装置が大掛かりとなり価格も高いので、中小規模養豚農家への普及は難しい。その点、上記重力脱水方式は、装置が大掛かりとならず低価格であるので、普及させやすい。      
【０００７】
ここで、重力脱水方式には、濾布が汚れた場合の扱い方に基いて分類した場合、（１）濾布を使い捨てにするもの、（２）濾布を取り外して洗浄するもの、（３）濾布を装着したままで、水の流れを逆にして洗浄を行うもの、（４）濾布の一部で濾過を行い、濾過が行われていない部分で水洗浄を行いながら濾過する場所を変えてゆくもの、がある。      
【０００８】
ここにおいて、上記（１）の使い捨て方式は、濾布自身が新たな廃棄物となってしまい、環境負荷軽減の観点から問題がある。また、毎回新たな濾布（５千円程度）を用意しなければならず、ランニングコストがかかり過ぎることになる。なお、袋を二重にし、内側の袋に濾過、外側の袋に強度保持の機能を持たせ、外側の袋は繰り返し使用する改良型も市販されているが、内側の袋を使い捨てするものであり、上記問題点を解消するものではない。また、内袋の取外し・取り付けが厄介である。      
【０００９】
上記（２）の取外し洗浄方式では、取外し・取り付けに手間がかかる。また、濾布を取外す際に、作業員の服や手足などに濾布の汚れが付くことがあり、作業環境上問題がある。      
【００１０】
上記（３）の方式は、水の流れを逆にして洗浄を行うために装置が複雑化し高価格となってしまう。
【００１１】
上記（４）の濾過・洗浄同時進行方式は、洗浄に多量の水を必要とし場所的制約を受けやすい。
【００１２】
本発明の目的は、多量の水を必要とすることなく濾布製の袋を迅速に洗浄でき、しかも構成が簡単で低価格な重力脱水方式の汚泥の分離脱水処理装置を提供することにある。
【課題を解決するための手段】
【００１３】
上記目的を達成するために、請求項１の発明は、支持部材によって上端部が支持されるとともに内部に収容した汚泥を重力脱水可能な濾布製の袋と、この袋の底部を開閉する袋開閉手段とを備え、前記袋が、前記支持部材によって支持された状態で洗浄して繰り返し使用可能に構成され、前記袋開閉手段が、前記袋底部の一方側端部と他方側端部とに固定され横方向長さが当該袋底部よりも長い一対の係合棒と、これら係合棒を芯として当該袋底部を巻き込んだ場合に当該各係合棒を係止して当該袋底部を閉塞状態に維持可能かつ当該各係合棒の係止を解除して当該袋底部を開放可能な係止手段とから形成され、  前記各係合棒が、関節部を有しており、前記袋底部が開放された場合に当該関節部が外側へ出っ張るように変形可能に構成された汚泥の分離脱水処理装置である。     
【００１４】
上記請求項１の発明の場合、袋内へ投入された汚泥は重力脱水されて、その水分（液分）は当該袋外部へ排出される。これにより、汚泥の水分と固分とが分離される。ここで、袋開閉手段によって袋の底部が開放されれば、当該袋の中の汚泥固分は自重によって勢いよく落下するので、当該汚泥固分の残渣が袋に付着する量が少ない。そのため、多量の水を必要とすることなく袋を迅速に洗浄できる。また、上記したように袋を洗浄して繰り返し使用できるので、分離脱水処理するごとに袋が廃棄物となることは無く、構成が簡単で低価格で、しかも、ランニングコストも大幅に低減される。 
また、袋開閉手段が、袋底部の一方側端部と他方側端部とに固定され横方向長さが当該袋底部よりも長い一対の係合棒と、これら係合棒を芯として当該袋底部を巻き込んだ場合に当該各係合棒を係止して当該袋底部を閉塞状態に維持可能かつ当該各係合棒の係止を解除して当該袋底部を開放可能な係止手段とから形成されており、当該各係合棒が、関節部を有しており、袋底部が開放された場合に当該関節部が外側へ出っ張るように変形可能に構成されているので、より一層構成の簡素化を図りつつ袋の底部を大きく開口することができる。このため、袋の底部を開放した場合に当該袋の中の固分はより一層勢いよく落下するので、当該固分の残渣が袋に付着する量が格段に少なくなる。そのため、多量の水を必要とすることなく袋をより一層迅速に洗浄できる。
【００１５】
請求項２の発明は、 前記各係合棒を中空状に形成し、当該各係合棒の中空部分に棒状の磁石を抜き差自在に挿入した、ものである。
【００１６】
上記請求項２の発明の場合、 請求項１に記載の発明の場合と同様な作用・効果を奏し得る他、一段と確実に各係止棒によって袋の底部を閉塞できる。
【００１７】
請求項３の発明は、 前記係止手段による前記各係合棒の係止を遠隔操作によって解除可能な遠隔解除手段を設けた、ものである。
【００１８】
上記請求項３の発明の場合、 請求項１又は２に記載の発明の場合と同様な作用・効果を奏し得る他、袋から遠く離れたところから係合棒の係止を解除して、当該袋底部を開放することができる。これにより、袋底部から汚泥の固分が勢いよく落下して跳ね上がっても、作業者が汚泥で汚れるのを一段と確実に防止できる。
【００１９】
請求項４の発明は、 前記袋は、濾布の接合部を縫い合わせて筒状に縫製した後、当該筒状濾布の上部を前記支持部材に固定するために折り返し縫製してワイヤーまたは紐体を入れ、当該筒状濾布の底部の一方側端部と他方側端部とを前記２本の係合棒を入れられるように上下方向に位置ずれさせて折り返し縫製して成る、請求項１から３までのいずれか１項に記載の汚泥の分離脱水処理装置である。
【００２０】
上記請求項４の発明の場合、 請求項１から３までのいずれか１項に記載の発明の場合と同様な作用・効果を奏し得る他、一段と構成の簡素化を図りつつ袋強度を増大することができる。
【発明の効果】
【００２１】
請求項１の発明によれば、 支持部材によって上端部が支持されるとともに内部に収容した汚泥を  重力脱水可能な濾布製の袋と、この袋の底部を開閉する袋開閉手段とを備え、袋が、支持部材によって支持された状態で洗浄して繰り返し使用可能に構成されているので、袋開閉手段によって袋の底部が開放されれば、当該袋の中の汚泥固分は自重によって勢いよく落下するので、当該汚泥固分の残渣が袋に付着する量が少ない。そのため、多量の水を必要とすることなく濾布製の袋を迅速に洗浄できる。このように、袋を洗浄して繰り返し使用できるので、袋が廃棄物となることは無く、構成を簡単化・価格を低く抑えることができるとともにランニングコストを低く抑えることができる。 
また、袋開閉手段が、袋底部の一方側端部と他方側端部とに固定され横方向長さが当該袋底部よりも長い一対の係合棒と、これら係合棒を芯として当該袋底部を巻き込んだ場合に当該各係合棒を係止して当該袋底部を閉塞状態に維持可能かつ当該各係合棒の係止を解除して当該袋底部を開放可能な係止手段とから形成されており、当該各係合棒が、関節部を有しており、袋底部が開放された場合に当該関節部が外側へ出っ張るように変形可能に構成されているので、より一層構成の簡素化を図りつつ袋の底部を大きく開口することができる。このため、袋の底部を開放した場合に当該袋の中の固分はより一層勢いよく落下するので、当該固分の残渣が袋に付着する量が格段に少なくなる。そのため、多量の水を必要とすることなく袋をより一層迅速に洗浄できる。 
各係合棒が、関節部を有しており、袋底部が開放された場合に当該関節部が外側へ出っ張るように変形可能に構成されているので、より一層構成の簡素化を図りつつ袋の底部を大きく開口することができる。このため、袋の底部を開放した場合に当該袋の中の固分はより一層勢いよく落下するので、当該固分の残渣が袋に付着する量が格段に少なくなる。そのため、多量の水を必要とすることなく袋をより一層迅速に洗浄できる。
【００２２】
請求項２の発明によれば、 各係合棒を中空状に形成し、当該各係合棒の中空部分に棒状の磁石を抜き差自在に挿入したので、請求項１に記載の発明の場合と同様な効果を奏し得る他、一段と確実に各係止棒によって袋の底部を閉塞できる。
【００２３】
請求項３の発明によれば、 係止手段による各係合棒の係止を遠隔操作によって解除可能な遠隔解除手段を設けたので、請求項１又は２記載の発明の場合と同様な効果を奏し得る他、袋から遠く離れたところから係合棒の係止を解除して、当該袋底部を開放できる。これにより、袋底部から汚泥の固分が勢いよく落下して跳ね上がっても、作業者が汚泥で汚れるのを一段と確実に防止できる。
【００２４】
請求項４の発明によれば、 袋は、濾布の接合部を縫い合わせて筒状に縫製した後、当該筒状濾布の上部を支持部材に固定するために折り返し縫製してワイヤーまたは紐体を入れ、当該筒状濾布の底部の一方側端部と他方側端部とを前記２本の係合棒を入れられるように上下方向に位置ずれさせて折り返し縫製して成るので、請求項１から３までのいずれか１項に記載の発明の場合と同様な効果を奏し得る他、一段と構成の簡素化を図りつつ袋強度を増大できる。
【発明を実施するための最良の形態】
【００２５】
以下、本発明の実施形態を図面を参照して説明する。 
【００２６】
本発明に係る 汚泥の分離脱水処理装置１による 分離脱水処理方法は、底部が開閉可能な濾布製の袋を用いて汚泥を重力脱水するものであって、図１に示すように、袋の底部を閉じた状態で当該袋内へ汚泥を投入し（ステップＳＴ１）、投入後汚泥が重力脱水されるまで放置し（ＳＴ２）、しかる後に袋内に残留した汚泥固分を当該袋の底部を開放することにより落下させて搬出し（ＳＴ３，ＳＴ４）、搬出後に当該袋を洗浄し次の分離脱水処理に備える（ＳＴ５）、ことを内容とするものである。      
【００２７】
また、本発明に係る汚泥の分離脱水処理装置１は、図２に示すように、支持部材１５によって上端部１１が支持されるとともに内部に収容した汚泥を重力脱水可能な濾布製の袋１０と、この袋１０の底部１２を開閉する袋開閉手段２０とを備え、当該袋１０が支持部材１５によって支持された状態で洗浄して繰り返し使用可能に構成されている。    
【００２８】
この実施形態では、上記分離脱水処理方法は、上記分離脱水処理装置１を用いて実施される。上記分離脱水処理装置１は、豚舎から出る畜産汚水（豚の糞と尿とが混ざったもの）を活性汚泥法で処理した余剰汚泥を分離脱水処理するのに使用されている。この分離脱水処理装置１は、構成が簡単で低価格であるので中小規模養豚農家（汚水発生量が一日１０トン以下の農家）が導入するのに好適なものである。      
【００２９】
上記分離脱水処理装置１は、袋１０および袋開閉手段２０の他に、本体フレーム２、反応槽７等を有している。
【００３０】
本体フレーム２は、袋１０等を保持するもので、ベース３上に設けられている。ベース３には、本体フレーム２の周囲を囲う囲い部４が設けられている。ベース３の前面部には、図３に示すように、汚泥の固分回収部６が設けられている。固分回収部６は、固分を大量に堆積できる収容スペースを有している。
【００３１】
また、ベース３の所定エリアには、重力脱水後に袋１０から排出される汚泥固分を受けて上記固分回収部６へ案内可能なシュート５が設けられている。シュート５は、前面部が低く後面部が高くなるように傾斜している。したがって、シュート５上に落下した汚泥固分は、当該シュート５上を滑り降りて固分回収部６へ円滑に収容される。なお、シュート５を省略し、ローダー等のバケットで受けることもできる。    
【００３２】
また、本体フレーム２の上部には、図２に示すように、反応槽７が設けられている。反応槽７では、余剰汚泥を水分（液分）と固分とに効率よく分離するために凝集剤と反応させる。この反応槽７へは、搬送管８Ａを通して余剰汚泥が供給されるとともに、注入管８Ｂを通して当該汚泥に適した凝集剤が注入される。反応槽７で凝集剤と反応した余剰汚泥（懸濁液）は、反応管８Ｃを通り、袋１０内へ投入される。なお、凝集剤としては、高分子凝集剤（例えば、ポリアクリルアミド）などが使用される。高分子凝集剤の代りに電解質溶液（例えば塩化第二鉄）を用い塩析を利用してもよい。      
【００３３】
次に、上記分離脱水処理装置１の特徴部である濾布製の袋１０は、本体フレーム２の上部に支持部材１５等を介して保持されている。この袋１０は、天然繊維、再生繊維および合成繊維のいずれか一種またはそれらの複合体を主成分とした編織物、不織布、透過性フィルムまたはそれらの複合体で形成されている。    
【００３４】
この実施形態では、疎水性合成繊維からなるニット生地を用いて形成されている。この袋１０には、汚泥の固分が付きにくいように撥水加工処理が施されている。  
【００３５】
より詳しくは、この袋１０の素材は、ポリエステル繊維から作られた所定強度（例えば、縦方向に５００Ｎ／５ｃｍ以上）のニット生地とされている。このニット生地（濾布）は、上記したポリエステル繊維を上端部から下端部まで途切れることなく使用し、ほぐれ難い組 織を用いてある。袋１０は、濾布の接合部を縫い合わせて筒状に縫製した後、当該筒状濾布の上部を支持部材１５に固定するために折り返し縫製してワイヤーまたは紐体（ロープ等）を入れ、当該筒状濾布の底部の一方側端部と他方側端部とを２本の係合棒（２１，２２）を入れられるように上下方向に位置ずれさせて折り返し縫製して成る 。 
【００３６】
ここで、袋１０のメッシュ（目）の大きさが粗すぎると重力脱水時における濾過が不十分となり、逆に細かすぎると固形成分が詰まって濾過ができなくなるので、メッシュの大きさは０．５〜１ｍｍが望ましい。    
【００３７】
こうして編み上げられた袋１０は、その上端部１１が支持部材１５に固定される。ここで、支持部材１５は、環状とされており、袋１０の上端部１１を全周に亙って支持する構成とされている。この実施形態では、支持部材１５は、楕円形状とされており、取付部材１６を介して本体フレーム２の上部に固定されている。袋１０の上端部１１は、板状のベルト１７で楕円形状の支持部材１５に押えられ固定されている。これにより、袋１０の上端部１１は、楕円状に大きく開口されている。  
【００３８】
ここで、上記袋１０に汚泥を投入すると、当該汚泥の重量で袋１０は下方へ伸ばされることになり引張り応力が作用するが、当該袋１０の上端部１１が環状（楕円）の支持部材１５によって支持されているので、応力集中は起こらない。そのため、袋１０を二重にしなくとも破れるようなことはなく、汚泥を確実に保持して円滑に重力脱水できる。    
【００３９】
なお、支持部材１５は、その短軸が袋１０の取外しが一人で行えるような長さ（例えば、９００ｍｍ）に形成されている。なお、袋１０の底部１２は、全体が開口されている。    
【００４０】
次に、袋開閉手段２０は、袋底部１２を開閉する手段である。この実施形態では、袋開閉手段２０は、図７および図８に示すように、袋底部１２の一方側端部１３と他方側端部１４とに固定され横方向長さ（図７，８中紙面と直交方向の長さ）が当該底部１２よりも長い一対の係合棒（２１，２２）と、これら２本の係合棒（２１，２２）を芯として当該袋底部１２を巻き込んだ場合に当該係合棒（２１，２２）を係止して当該袋底部１２を閉塞状態に維持可能かつ当該係合棒（２１，２２）の係止を解除して当該袋底部１２を開放可能な係止手段３１とから形成されている。    
【００４１】
具体的には、各係合棒（２１，２２）は、袋１０に皺を寄らすことなく当該袋底部１２を巻き込めるように、図８に示すように、上下方向に位置ずれされて袋底部１２の対応する各側端部（１３，１４）に固定されている。この実施形態では、位置ずれ量Ｌは、係合棒（２１，２２）の直径相当とされている。  
【００４２】
各係合棒（２１，２２）は、図６に示すように、関節部２５を有しており、袋底部１２が開放された場合に当該関節部２５が外側へ出っ張るように変形可能に構成されている。この実施形態では、両係合棒（２１，２２）の長手方向両端部〔（２１Ｌ，２１Ｒ），（２２Ｌ，２２Ｒ）〕は、図７に示すボルト２９Ｂ・ナット２９Ｎを用いて相対回動可能に連結されている。このように、両係合棒（２１，２２）の長手方向両端部〔（２１Ｌ，２１Ｒ），（２２Ｌ，２２Ｒ）〕を連結することにより、当該両係合棒（２１，２２）のいずれか一方の端部を回すだけで棒全体の袋底部１２の巻き込みを円滑に行える。    
【００４３】
係止手段３１は、図７に示すように、本体フレーム２に固定された一方部材３２と、この一方部材３２にヒンジ部３３ａを介して回動可能に取り付けられた他方部材３３と、この他方部材３３を一方部材３２と協働して袋底部１２を巻き込んだ状態の両係合棒（２１，２２）を挟持できる位置（保持位置）に係止可能なフック部材３４とから形成されている。フック部材３４は、一方部材３２にピン３４ａを介して回動可能に取り付けられており、上記保持位置に位置決めされた他方部材３３の係合部３３ｋと係合して当該他方部材３３を係止する部材である。  
【００４４】
この実施形態では、係止手段３１による係合棒（２１，２２）の係止を遠隔操作によって解除可能な遠隔解除手段３５が設けられている。遠隔解除手段３５は、弾性力によってフック部材３４を他方部材３３の係合部３３ｋへ押し付ける弾性部材３６と、一端部がフック部材３４に連結された長寸の紐材（例えばワイヤー３７）とからなり、ワイヤー３７を係止手段３１から遠く離れた所から引っ張ることにより、弾性部材３６の弾性力に抗してフック部材３４を他方部材３３の係合部３３ｋと離れる方向へ移動可能に構成されている。
【００４５】
また、この実施形態では、図２に示すように、重力脱水中に袋１０の目から排出される水分（濾過水）を受ける処理水受け部４０が設けられている。処理水受け部４０は、袋１０の底部１２と対向する位置に位置決めされ、重力脱水によって当該袋１０から排出された濾過水を受けて所定の処理水回収部５０へ案内可能かつ当該袋１０の底部１２と対向する位置から退避可能に構成されている。      
【００４６】
詳しくは、処理水受け部４０は、樋状に形成されており、横断面形状が逆八の字形状とされている。この処理水受け部４０は、一方側端部４１が支持軸４５を介して本体フレーム２に回動可能に取り付けられているとともに、他方側端部４２が紐４６を介して本体フレーム２の上部に保持されている。紐４６と処理水受け部４０の他方側端部４２との接続は解除できるものとされている。  
【００４７】
ここで、処理水受け部４０は、紐４６と接続されている場合には、袋底部１２の真下の位置（処理水受け位置）に保持されているので、重力脱水中に袋１０から排出された濾過水を受けて処理水回収部５０へ案内することができる。また、処理水受け部４０は、紐４６との接続が解除されると、支持軸４５を中心として回動して、袋底部１２の真下の位置から外れた位置（退避位置）へ位置決めされる。したがって、袋底部１２を開放して汚泥固分を落下させても、当該汚泥固分を処理水受け部４０が受けてしまうことはない。なお、処理水回収部５０に溜まった濾過液は曝気槽（図示省略）へ送られ、脱臭処理された後に液肥として利用される。    
【００４８】
次に、この実施形態の作用について説明する。
【００４９】
図２に示す反応槽７で凝集剤と反応した余剰汚泥（懸濁液）は反応管８Ｃを通り、底部１２が閉塞された袋１０内へ投入される。そして、袋１０内の余剰汚泥が重力脱水されるまで放置される。例えば、収容汚泥量が７００ｋｇの場合、  ６時間ほど放置される。袋１０の目を通って外部へ排出された液分（濾過液）は、処理水受け部４０で受け止められ、処理水回収部５０へ案内される。      
【００５０】
重力脱水後、処理水受け部４０を、紐４６との接続を解除して処理水受け位置から退避させる。次に、その状態で図７に示す遠隔解除手段３５のワイヤー３７を引っ張ることにより、係止手段３１による係合棒（２１，２２）の係止を解除する。これにより、係合棒（２１，２２）は、図８に示すように、袋底部１２から巻き解かれながら自重で落下し、袋底部１２が開放される。すると、袋１０内に残留した汚泥固分（Ｄ）は勢いよくシュート５へ向けて落下する。このシュート５上に落とされた汚泥固分は、固分回収部６へ案内されて堆積する。なお、固分回収部６へ堆積された固分は適当な運搬手段（トラック等）を用いて固分堆肥舎（図示省略）へ運ばれる。    
【００５１】
しかる後に、次の分離脱水処理に備えて、図３に示すように、袋底部１２に固定された２本の係合棒（２１，２２）を平行に揃え、当該袋底部１２を巻き込み、図７に示す係止手段３１によって保持させることにより袋底部１２を閉塞する。      
【００５２】
袋底部１２を閉塞した後、袋１０を洗浄する。ここで、袋１０は０．５〜１ｍｍの目を持つニット生地で形成されているので、水道圧程度の水流でニット生地の目を動かして、目を塞いでいる汚泥の固分を簡単に除去できる。固分がどうしても除去できないときは、洗剤を使用してもよい。上記した袋１０の洗浄は、袋底部１２を閉塞する前（すなわち、袋底部１２が開放された状態）でも可能であるが、閉塞後に洗浄すれば袋１０に付着した汚泥の固分を流さなくてすむ。      
【００５３】
なお、袋１０を洗浄するに当たっては、図２に示す処理水受け部４０を処理水受け位置へ戻しておく。これにより、洗浄に使用した水を処理水受け部４０で受けて処理水回収部５０に集めることができ、廃水処理が容易となる。なお、処理水受け部４０の代りにベース３に排水溝を設け、装置１外へ搬出してもよい。    
【００５４】
上記したように、袋１０は洗浄して濾過機能を回復できるので、繰り返し使用できる。したがって、分離脱水処理するごとに、袋１０が廃棄物となることは無く、ランニングコストも大幅に低減される。    
【００５５】
ここで、袋１０を取り外して洗浄しないので、取外し・取り付けの手間がかからない。また、袋１０の底部１２が開放されれば、当該袋１０の中の汚泥固分は自重によって勢いよく落下するので、当該汚泥固分の残渣が袋１０に付着する量が少ない。そのため、多量の水を必要とすることなく濾布製の袋１０を迅速に洗浄できる。また、重力脱水方式であり、上記したように袋１０を洗浄して繰り返し使用するので、構成を簡単化できるとともに価格を低く抑えることができる。また、構成が簡単であるので故障も少なく、故障したとしても簡単に修理できる。したがって、資力が十分でない中小規模養豚農家にも、本装置１は導入しやすい。
【００５６】
また、袋底部１２と対向する位置に処理水受け部４０を位置決め可能かつ退避可能に設けたので、汚泥中の水分（液分）と固分とを一段と明確に分けることができる。  
【００５７】
また、濾布製の袋１０が、天然繊維、再生繊維および合成繊維のいずれか一種またはそれらの複合体を主成分とした編織物、不織布、透過性フィルムまたはそれらの複合体から形成されているので、汚泥の種類に応じて最適な袋１０で重力脱水できる。
【００５８】
また、濾布製の袋１０が撥水加工処理されているので、汚泥の固分の残渣が袋１０に付く量が一段と少なくなる。そのため、袋１０を一段と迅速かつ容易に洗浄できる。  また、支持部材１５が、環状とされかつ袋１０の上端部を全周に亙って支持する構成とされているので、袋１０内に大量の汚泥（例えば７００ｋｇの汚泥）が投入されても当該袋１０の一部に大きな引張り応力が作用することはない。すなわち、応力集中が起こらないので、袋１０を二重にしなくとも、当該袋１０は汚泥の重量に耐えることができ、一段と構成の簡素化に寄与する。
【００５９】
また、袋底部１２が全体的に開口されており、袋開閉手段２０が、当該袋底部１２の一方側端部１３と他方側端部１４とに固定され横方向長さが当該袋底部１２よりも長い一対の係合棒（２１，２２）と、これら係合棒（２１，２２）を芯として当該袋底部１２を巻き込んだ場合に当該係合棒（２１，２２）を係止して当該袋底部１２を閉鎖状態に維持可能かつ当該係合棒（２１，２２）の係止を解除して当該袋底部１２を開放可能な係止手段３１とから形成されているので、一段と構成の簡素化を図りつつ袋１０の底部１２を大きく開口することができる。このため、袋底部１２を開放した場合に当該袋１０の中の汚泥固分は一段と勢いよく落下するので、当該汚泥固分の残渣が袋１０に付着する量がより少なくなる。そのため、多量の水を必要とすることなく袋１０を一層迅速に洗浄できる。      
【００６０】
また、各係合棒（２１，２２）が、関節部２５を有しており、袋底部１２が開放された場合に当該関節部２５が外側へ出っ張るように変形可能に構成されているので、より一層構成の簡素化を図りつつ袋１０の底部を大きく開口することができる。このため、袋１０の底部１２を開放した場合に当該袋１０の中の汚泥固分はより一層勢いよく落下するので、当該汚泥固分の残渣が袋１０に付着する量が格段に少なくなる。そのため、多量の水を必要とすることなく濾布製の袋１０をより一層迅速に洗浄できる。    
【００６１】
また、係止手段３１による係合棒（２１，２２）の係止を遠隔操作によって解除可能な遠隔解除手段３５を設けたので、袋１０から遠く離れたところから係合棒（２１，２２）の係止を解除して、当該袋底部１２を開放することができる。これにより、袋底部１２から汚泥の固分が勢いよく落下して跳ね上がっても、作業者が汚泥で汚れるのを一段と確実に防止できる。
【００６２】
上記実施形態では、本発明を豚の排せつ物（畜産汚水）を活性汚泥法で処理した余剰汚泥の分離脱水処理に適用したが、これに限定されるものではない。例えば、豚以外の家畜（牛等）に関する余剰汚泥や、一般家畜（豚、牛等）のふん尿混合物の分離脱水についても適用可能である。
【００６３】
なお、ふん尿混合物を本発明に係る分離脱水処理装置を用いて液分と固分とに分離した場合、液分のＳＳ除去率は約９９％である。ふん尿混合物のＳＳは３７０００ｍｇ／ｌである。計量方法は下水試験方法２．２．１２．２による。液分のＳＳは３６０ｍｇ／ｌである。計量方法は昭４６環告第５９号付表８による。また、ＢＯＤの除去率は約３７％である。ふん尿混合物のＢＯＤは５２００ｍｇ／ｌである。液分のＢＯＤは、１９００ｍｇ／ｌである。計量方法は、ともにＪＩＳ  Ｋ  ０１０２  ２１および３２．１である。こうして、ふん尿混合物（汚泥）の水分と固分とが確実に分離される。      
【００６４】
また、食品加工の際に生じる懸濁液や土木工事の際に生じる懸濁液などを、容易に液分と固分とに分離できる。特に、土木工事の際に生じる懸濁液については、装置が小規模なので、工事現場に必要なときに仮設する方法を用いることができる。      
【００６５】
また、支持部材１５を楕円形状としたが、環状であればよく、例えば円形状としてもよい。       
【００６６】
また、処理水受け部４０を支持軸４５と紐４６とで保持する構成としたが、これに限定されるものではなく、汚泥の水分を固分と分離した状態で受けることができれば、どのように構成してもよい。例えば、処理水受け部として、ベースに処理水回収部へ繋がる排水溝を設けてもよい。    
【００６７】
また、各係合棒（２１，２２）を磁石に吸着する金属（例えば鉄鋼）製のパイプから形成し、当該各係合棒（２１，２２）の中空部分に棒状の磁石を抜き差自在に挿入してもよい。これにより、各係合棒（２１，２２）に磁石を入れておけば、袋１０の底部を巻きつける場合に両係合棒（２１，２２）は吸着されているので、巻きつけ作業を一段と迅速かつ容易に行える。なお、袋底部１２を一段と確実に閉塞状態に維持できる。また、袋底部１２を開放する場合には、磁石を係合棒（２１，２２）から抜き出しておけば、当該袋底部１２を大きく開口できる。
【００６８】
また、袋１０の素材として、ポリエステル繊維から作られた所定強度（例えば、縦方向に５００Ｎ／５ｃｍ以上）のニット生地を選定したが、汚泥収容量が７００ｋｇよりも少なければ、上記したよりも強度が小さい（例えば、縦方向に４８０Ｎ／５ｃｍ）ニット生地等を用いてもよい。
【図面の簡単な説明】
【００６９】
【図１】本発明に係る分離脱水処理方法を説明するためのブロック図である。
【図２】本発明に係る分離脱水処理装置の全体構成を説明するための斜視図である。
【図３】袋底部を閉塞する動作を説明するための側面図である。
【図４】袋底部を閉塞する動作を説明するための平面図である。
【図５】袋底部が開放された状態を示す側面図である。
【図６】袋底部が開放された状態を示す平面図である。
【図７】係止手段を説明するための図である。
【図８】袋底部が開放された状態を示す図である。
【符号の説明】
【００７０】
１  分離脱水処理装置 
２  本体フレーム 
３  ベース   
４  囲い部 
５  シュート   
６  固分回収部 
７  反応槽 
８Ａ  搬送管
８Ｂ  注入管 
８Ｃ  反応管 
１０  濾布製の袋 
１１  上端部 
１２  底部 
１３  一方側端部 
１４  他方側端部 
１５  支持部材 
１６  取付部材
２０  袋開閉手段 
２１  係合棒
２１Ｌ，２１Ｒ  長手方向端部 
２２  係合棒 
２２Ｌ，２２Ｒ  長手方向端部 
２５  関節部 
３１  係止手段 
３２  一方部材 
３３  他方部材 
３３ａ  ヒンジ部 
３３ｋ  係合部
３４  フック部材 
３４ａ  ピン
３５  遠隔解除手段
３６  弾性部材 
４０  処理水受け部 
５０  処理水回収部 
【要約】
【課題】  湿度管理に煩わされることなく人体に効果的に熱を伝達して快適なサウナ環境を実現できるサウナ装置を提供すること。  【解決手段】  上面部１１を所定温度に加温可能なベッド１０と、このベッド１０上に設けられており水（Ｑ）を収容可能な水槽部２０とを有し、この水槽部２０の下方部分に所定個数の貫通穴２６を形成し、当該貫通穴２６に水（Ｑ）の排出量を抑制する排水量抑制部材３０を配設し、上記排水量抑制部材３０を通過した水（Ｑ）が、加温されたベッド１０の上面部１１に供給され蒸発する構成とする。
【選択図】      図１
【図１】
0003694702.tif 000002
【図２】
0003694702.tif 000003
【図３】
0003694702.tif 000004
【図４】
0003694702.tif 000005
【図５】
0003694702.tif 000006
【図６】
0003694702.tif 000007
【図７】
0003694702.tif 000008
【図８】
0003694702.tif 000009